(57)【特許請求の範囲】
【請求項１】
所定の移動量で移動されるように構成されたカートリッジ電極を有し、装置本体に着脱可能に構成され、現像剤を収容するカートリッジと、
前記カートリッジ電極と対向するように配置され、前記カートリッジ電極に電気的に接続可能に構成された本体電極であって、前記カートリッジ電極の移動により、前記カートリッジ電極との対向方向に移動するように構成された本体電極と、
前記本体電極が前記対向方向に移動した場合に、前記装置本体に装着された前記カートリッジが新品であると判断する判断手段とを備えることを特徴とする、画像形成装置。
【請求項２】
前記カートリッジ電極は、前記本体電極と対向する前記対向方向一方側面において、凸部と、前記凸部から前記対向方向他方側に凹む凹部とを有し、
前記本体電極は、前記凸部と当接することにより前記対向方向一方側に配置され、前記凹部と対向することにより前記凸部と当接するときよりも前記対向方向他方側に配置されることを特徴とする、請求項１に記載の画像形成装置。
【請求項３】
前記凹部は、
前記カートリッジ電極の前記本体電極に対する移動方向下流側から前記移動方向上流側へ向かうに従って、前記対向方向一方側へ傾斜される第１傾斜面と、
前記移動方向下流側から前記移動方向上流側へ向かうに従って、前記対向方向他方側へ傾斜される第２傾斜面と
を有することを特徴とする、請求項２に記載の画像形成装置。
【請求項４】
前記カートリッジ電極は、前記所定の移動量で移動される間に、前記対向方向一方側に向かって進出する第１位置と、前記対向方向他方側に向かって退避する第２位置とに移動可能に構成され、前記第１位置において、前記本体電極を前記対向方向一方側に配置させ、前記第２位置において、前記本体電極を前記第１位置のときよりも前記対向方向他方側に配置させることを特徴とする、請求項１〜３のいずれか一項に記載の画像形成装置。
【請求項５】
前記カートリッジ電極は、前記カートリッジ電極の前記本体電極に対する移動方向に延び、前記対向方向他方側面から前記対向方向他方側へ突出する突出部を備え、
前記突出部は、前記移動方向下流側から前記移動方向上流側へ向かうに従って、前記対向方向他方側へ傾斜される第３傾斜面を有することを特徴とする、請求項４に記載の画像形成装置。
【請求項６】
前記カートリッジ電極は、前記装置本体からの駆動力が伝達される歯部と、前記駆動力が伝達されない欠け歯部とを含む欠け歯ギヤを有することを特徴とする、請求項１〜５のいずれか一項に記載の画像形成装置。
【請求項７】
前記カートリッジ電極は、回転可能に設けられていることを特徴とする、請求項６に記載の画像形成装置。
【請求項８】
前記カートリッジ電極は、直線移動可能に設けられていることを特徴とする、請求項６に記載の画像形成装置。
【請求項９】
前記本体電極は、画像形成時にカートリッジ電極と接触される第１被検知位置と、前記第１被検知位置から対向方向に移動された第２被検知位置とに移動され、
前記装置本体は、前記本体電極の位置を検知する検知手段をさらに有し、
前記判断手段は、
所定時間内に、前記検知手段が、前記本体電極が前記第１被検知位置に配置されたことを検知したときに、前記カートリッジが前記装置本体に装着されていると判断し、
所定時間内に、前記検知手段が、前記本体電極が前記第１被検知位置に配置されたことを検知しなかったときに、前記カートリッジが前記装置本体から離脱されていると判断することを特徴とする、請求項１〜８のいずれか一項に記載の画像形成装置。
【請求項１０】
現像剤を収容するように構成され、第１側壁と、前記第１側壁の一方側に間隔を隔てて対向配置される第２側壁とを含む筐体と、
前記第１側壁または前記第２側壁に設けられ、外部からの駆動力を受けるための駆動入力部と、
前記第２側壁に設けられ、前記駆動入力部に入力された駆動力が伝達されることにより所定の移動量で移動されるように構成され、外部から給電されるためのカートリッジ電極と、を備え、
前記カートリッジ電極は、前記第１側壁と前記第２側壁との対向方向における一方側面において、凸部と、前記凸部から、前記対向方向他方側に凹む凹部とを有することを特徴とする、カートリッジ。
【請求項１１】
前記凹部は、
前記カートリッジ電極の移動方向下流側から前記移動方向上流側へ向かうに従って、前記対向方向一方側へ傾斜される第１傾斜面と、
前記移動方向下流側から前記移動方向上流側へ向かうに従って、前記対向方向他方側へ傾斜される第２傾斜面と
を有することを特徴とする、請求項１０に記載のカートリッジ。
【請求項１２】
前記カートリッジ電極は、前記所定の移動量で移動される間に、前記第１側壁と前記第２側壁との対向方向における一方側に向かって進出する第１位置と、前記対向方向他方側に向かって退避する第２位置とに移動可能に構成されることを特徴とする、請求項１０または１１に記載のカートリッジ。
【請求項１３】
前記カートリッジ電極は、前記カートリッジ電極の移動方向に延び、前記対向方向他方側面から前記対向方向他方側へ突出する突出部を備え、
前記突出部は、前記移動方向下流側から前記移動方向上流側へ向かうに従って、前記対向方向他方側へ傾斜される第３傾斜面を有することを特徴とする、請求項１２に記載のカートリッジ。
【請求項１４】
前記カートリッジ電極は、前記駆動入力部からの駆動力が伝達される歯部と、前記駆動力が伝達されない欠け歯部とを含む欠け歯ギヤを有することを特徴とする、請求項１０〜１３のいずれか一項に記載のカートリッジ。
【請求項１５】
前記カートリッジ電極は、回転可能に設けられていることを特徴とする、請求項１４に記載のカートリッジ。
【請求項１６】
前記カートリッジ電極は、直線移動可能に設けられていることを特徴とする、請求項１４に記載のカートリッジ。
【発明の詳細な説明】
【技術分野】
【０００１】
本発明は、電子写真方式が採用される画像形成装置、および、その画像形成装置に装着されるカートリッジに関する。
【背景技術】
【０００２】
電子写真方式のプリンタとして、感光体と、感光体にトナーを供給する現像カートリッジとを備えるプリンタが知られている。
【０００３】
このようなプリンタでは、装着された現像カートリッジの情報（例えば、現像カートリッジが新品であるか否かなど）を判断するための新品検出手段を備えている。
【０００４】
このような新品検知手段として、例えば、現像カートリッジの側面に、導電性の合成樹脂板からなり、本体フレーム内のアクチュエータに当接される検知突起と、本体フレーム内の給電電極に当接される給電電極とを一体的に備える新旧判別部材が提案されている（たとえば、下記特許文献１参照。）。
【０００５】
この新旧判別部材は、ギヤカバーによって被覆されており、新品位置から旧品位置へ不可逆に変位可能である。そして、検知突起および給電電極は、新旧判別部材が新品位置にあるときには、ギヤカバー内に収容されており、新旧判別部材が旧品位置に変位されることにより、ギヤカバーの開口部から露出される。
【先行技術文献】
【特許文献】
【０００６】
【特許文献１】特開２００７−７９２８４号公報
【発明の概要】
【発明が解決しようとする課題】
【０００７】
しかるに、上記した特許文献１に記載の新旧判別部材では、検知突起と給電突起とが一体的に設けられており、旧品位置において、検知突起をアクチュエータに当接させるとともに、給電突起を給電電極に当接させている。
【０００８】
そのため、アクチュエータに対する検知突起の位置決めと、給電電極に対する給電突起の位置決めとを１つの新旧判別部材で両立する必要があり、アクチュエータおよび給電電極と、新旧判別部材との高い位置決め精度が必要であった。
【０００９】
そのため、例えば、現像カートリッジの装着状態が少しでも異なると、アクチュエータおよび給電電極と、新旧判別部材との位置決め精度が不十分となる。そして、例えば、給電突起と給電電極とが当接されたときに、アクチュエータと検知突起とが当接されない場合があり、新品の現像カートリッジが装着されたにもかかわらず、旧品であると誤検知してしまうといった問題が起こる。
【００１０】
そこで、本発明の目的は、確実にカートリッジの状態を検知することができる画像形成装置、および、その画像形成装置に装着されるカートリッジを提供することにある。
【課題を解決するための手段】
【００１１】
（１）上記した目的を達成するために、本発明の画像形成装置は、カートリッジ電極を有し、装置本体に着脱可能に構成され、現像剤を収容するカートリッジと、カートリッジ電極と対向するように配置され、カートリッジ電極に電気的に接続可能に構成された本体電極と、装置本体に装着されたカートリッジが新品であると判断する判断手段とを備える。
【００１２】
カートリッジ電極は、所定の移動量で移動されるように構成されている。
【００１３】
本体電極は、カートリッジ電極の移動により、カートリッジ電極との対向方向に移動するように構成されている。
【００１４】
判断手段は、本体電極が対向方向に移動した場合に、装置本体に装着されたカートリッジが新品であると判断する。
【００１５】
このような構成によれば、カートリッジ電極に電気的に接続される本体電極を、カートリッジ電極の移動によって移動させ、本体電極の移動により、カートリッジの状態を新品であると判断することができる。
【００１６】
そのため、カートリッジ電極と本体電極との位置決め精度を確保するだけで、カートリッジへの給電と、カートリッジの状態の検知とを、両方、実施することができ、確実に、カートリッジの状態を検知することができる。
（２）また、カートリッジ電極は、本体電極と対向する対向方向一方側面において、凸部と、凸部から対向方向他方側に凹む凹部とを有していてもよい。
【００１７】
この場合、本体電極は、凸部と当接することにより対向方向一方側に配置され、凹部と対向することにより、凸部と当接するときよりも対向方向他方側に配置されてもよい
このような構成によれば、簡易な構成で、本体電極を対向方向に移動させることができる。
（３）また、凹部は、カートリッジ電極の本体電極に対する移動方向下流側から移動方向上流側へ向かうに従って、対向方向一方側へ傾斜される第１傾斜面と、移動方向下流側から移動方向上流側へ向かうに従って、対向方向他方側へ傾斜される第２傾斜面とを有してもよい。
【００１８】
このような構成によれば、本体電極を、第１傾斜面または第２傾斜面に沿うように対向方向に移動させることができる。
【００１９】
そのため、本体電極を対向方向に円滑に移動させることができる。
（４）また、カートリッジ電極は、所定の移動量で移動される間に、対向方向一方側に向かって進出する第１位置と、対向方向他方側に向かって退避する第２位置とに移動可能に構成されてもよい。
【００２０】
この場合、第１位置において、本体電極を対向方向一方側に配置させ、第２位置において、本体電極を第１位置のときよりも前記対向方向他方側に配置させてもよい。
【００２１】
このような構成によれば、簡易な構成で、本体電極を対向方向に移動させることができる。
（５）また、カートリッジ電極は、移動方向に延び、対向方向他方側面から対向方向他方側へ突出する突出部を備えてもよい。
【００２２】
この場合、突出部は、移動方向下流側から移動方向上流側へ向かうに従って、対向方向他方側へ傾斜される第３傾斜面を有してもよい。
【００２３】
このような構成によれば、カートリッジ電極を、第３傾斜面に沿うように対向方向に移動させることができる。
【００２４】
そのため、カートリッジ電極を対向方向に円滑に移動させることができる。
（６）また、カートリッジ電極は、装置本体からの駆動力が伝達される歯部と、駆動力が伝達されない欠け歯部とを含む欠け歯ギヤを有してもよい。
【００２５】
このような構成によれば、カートリッジ電極を、確実に、所定の移動量で移動させることができる。
（７）また、カートリッジ電極は、回転可能に設けられていてもよい。
【００２６】
このような構成によれば、簡易な構成で確実に、本体電極を移動させることができる。
（８）また、カートリッジ電極は、直線移動可能に設けられていてもよい。
【００２７】
このような構成によれば、簡易な構成で確実に、本体電極を移動させることができる。
（９）また、本体電極は、画像形成時にカートリッジ電極と接触される第１被検知位置と、接触位置から対向方向に移動された第２被検知位置とに移動され、装置本体は、前記本体電極の位置を検知する検知手段をさらに有していてもよい。
【００２８】
この場合、判断手段は、所定時間内に、検知手段が、本体電極が第１被検知位置に配置されたことを検知したときに、カートリッジが装置本体に装着されていると判断し、所定時間内に、検知手段が、本体電極が第１被検知位置に配置されたことを検知しなかったときに、カートリッジが装置本体から離脱されていると判断してもよい。
【００２９】
このような構成によれば、本体電極の位置を検知することにより、簡易な構成で、装置本体内におけるカートリッジの有無を検知することができる。
（１０）また、本発明のカートリッジは、現像剤を収容するように構成され、第１側壁と、第１側壁の一方側に間隔を隔てて対向配置される第２側壁とを含む筐体と、第１側壁または第２側壁に設けられ、外部からの駆動力を受けるための駆動入力部と、第２側壁に設けられ、駆動入力部に入力された駆動力が伝達されることにより所定の移動量で移動されるように構成され、外部から給電されるためのカートリッジ電極とを備える。
【００３０】
カートリッジ電極は、第１側壁と第２側壁との対向方向における一方側面において、凸部と、凸部から、対向方向他方側に凹む凹部とを有する。
【００３１】
このような構成によれば、カートリッジ電極の移動に伴う凸部および凹部の移動を、外部から検知すれば、カートリッジ電極を利用して、カートリッジの状態を検知することができる。
【００３２】
そのため、外部から検知されるための部材を別途設ける必要がなく、カートリッジの構成を簡略化することができる。
【発明の効果】
【００３３】
本発明の画像形成装置によれば、カートリッジ電極と本体電極との位置決め精度を確保するだけで、カートリッジへの給電、および、カートリッジの状態の検知の両方を実施することができ、確実に、カートリッジの状態を検知することができる。
【００３４】
また、本発明のカートリッジによれば、カートリッジ電極を利用して、カートリッジの状態を検知することができ、カートリッジの構成を簡略化することができる。
【図面の簡単な説明】
【００３５】
【図１】図１は、本発明の画像形成装置の第１実施形態としてのプリンタの中央断面図を示す。
【図２】図２は、図１に示す現像カートリッジの右前側から見た斜視図である。
【図３】図３は、図２に示す現像カートリッジの右前側から見た斜視図であり、給電カバーを外した状態を示す。
【図４】図４は、図３に示す軸受部材を示す右側から見た斜視図である。
【図５】図５は、図３に示すカートリッジ電極を示し、（ａ）は、右側から見た斜視図であり、（ｂ）は、左側から見た斜視図である。
【図６】図６は、新品検知動作におけるカートリッジ電極の移動を説明するための説明図であって、（ａ）は、ウォームアップ動作の途中の状態を示し、（ｂ）は、ウォームアップ動作が終了した状態を示す。
【図７】図７は、新品検知動作における本体電極およびアクチュエータの移動を説明するための説明図であって、（ａ）は、ウォームアップ動作の途中の状態（本体電極：進出位置、アクチュエータ：非遮光位置）を示し、（ｂ）は、ウォームアップ動作が終了した状態（本体電極：退避位置、アクチュエータ：遮光位置）を示す。
【図８】図８は、第２実施形態における新品検知動作を説明する説明図であって、（ａ）は、ウォームアップ動作が開始される前の状態を示し、（ｂ）は、ウォームアップ動作が終了した状態を示す。
【図９】図９は、図８に示す軸受部材とカートリッジ電極との相対配置を説明する説明図である。
【図１０】図１０は、第３実施形態におけるカートリッジ電極を示し、（ａ）は、右側から見た斜視図であり、（ｂ）は、左側から見た斜視図である。
【図１１】図１１は、第３実施形態における新品検知動作を説明する説明図であって、（ａ）は、現像カートリッジが装着されていない状態（本体電極：進出位置、アクチュエータ：第１非遮光位置）を示し、（ｂ）は、現像カートリッジが装着されて、ウォームアップ動作が開始される前の状態（本体電極：基準位置、アクチュエータ：遮光位置）を示し、（ｃ）は、ウォームアップ動作の途中の状態（本体電極：退避位置、アクチュエータ：第２非遮光位置）を示す。
【図１２】図１０は、第４実施形態におけるカートリッジ電極を説明する説明図であって、（ａ）は、左側から見た斜視図であり、（ｂ）は、軸受部材に対するカートリッジ電極の組み付けを示す。
【図１３】図１３は、第４実施形態における新品検知動作を説明する説明図であって、（ａ）は、ウォームアップ動作が開始される前の状態（カートリッジ電極：第１位置、本体電極：基準位置、アクチュエータ：遮光位置）を示し、（ｂ）は、ウォームアップ動作の途中の状態（カートリッジ電極：第２位置、本体電極：退避位置、アクチュエータ：第２非遮光位置）を示す。
【発明を実施するための形態】
【００３６】
１．プリンタの全体構成
図１に示すように、画像形成装置の一例としてのプリンタ１は、横置きタイプのダイレクトタンデム型カラープリンタである。
【００３７】
なお、以下の説明において、方向について言及する場合には、プリンタ１を水平に載置した状態を基準として、図１における紙面左側を前側とし、図１における紙面右側を後側とする。また、プリンタ１を前側から見たときを左右の基準とする。すなわち、図１の紙面手前側が右側であり、紙面奥側が左側である。
【００３８】
プリンタ１は、略ボックス形状の装置本体の一例としての本体ケーシング２を備えている。本体ケーシング２の上端部には、本体開口部５を開閉するトップカバー６が、その後端部を支点として揺動可能に設けられている。プリンタ１は、各色に対応する４つのプロセスカートリッジ１１を備えている。
【００３９】
各プロセスカートリッジ１１は、本体ケーシング２内に着脱可能に設けられ、互いに前後方向に沿って間隔を隔てて並列配置されている。各プロセスカートリッジ１１は、ドラムカートリッジ２４と、ドラムカートリッジ２４に着脱可能に装着されるカートリッジの一例としての現像カートリッジ２５とを備えている。
【００４０】
ドラムカートリッジ２４は、感光ドラム１５を備えている。
【００４１】
感光ドラム１５は、左右方向に長手の円筒形状に形成されており、ドラムカートリッジ２４に回転可能に設けられている。
【００４２】
現像カートリッジ２５は、現像ローラ１６を備えている。
【００４３】
現像ローラ１６は、左右方向に延びる金属製の現像ローラ軸３０を備え、現像カートリッジ２５の後端部において後側から露出されるように設けられ、感光ドラム１５に対して前上側から接触されている。
【００４４】
また、現像カートリッジ２５は、現像ローラ１６にトナーを供給する供給ローラ２７、現像ローラ１６に供給されたトナーの厚みを規制する層厚規制ブレード２８を備え、それらの上側に設けられるトナー収容部４６内には、現像剤の一例としてのトナーが収容され、トナーを攪拌するためのアジテータ４７が設けられている。アジテータ４７は、左右方向に延びるアジテータ軸４８と、アジテータ軸４８からアジテータ軸４８の径方向外側に延びる攪拌羽根４９とを備えている。
【００４５】
トナー収容部４６内のトナーは、供給ローラ２７と現像ローラ１６との間で正極性に摩擦帯電され、層厚規制ブレード２８により、一定厚さの薄層として現像ローラ１６の表面に担持される。
【００４６】
一方、各感光ドラム１５の表面には、スコロトロン型帯電器２６によって一様に帯電された後、ＬＥＤユニット１２によって所定の画像データに基づいて露光されることにより、画像データに基づく静電潜像が形成される。そして、現像ローラ１６に担持されるトナーが各感光ドラム１５の表面上の静電潜像に供給されることにより、感光ドラム１５の表面上にトナー像（現像剤像）が担持される。
【００４７】
用紙Ｓは、本体ケーシング２の底部に設けられる給紙トレイ７内に収容されており、ピックアップローラ８、給紙ローラ９、および、１対のレジストローラ１０によって、後上側へＵターンするように搬送されて、所定のタイミングで１枚ずつ、感光ドラム１５と搬送ベルト１９との間に給紙される。そして、搬送ベルト１９によって、各感光ドラム１５と各転写ローラ２０との間を前側から後側に向かって搬送される。このとき、用紙Ｓに、各色のトナー像が順次転写され、カラー画像が形成される。
【００４８】
そして、用紙Ｓは、加熱ローラ２１と加圧ローラ２２との間を通過するときに加熱および加圧される。このとき、用紙Ｓには、カラー画像が熱定着される。
【００４９】
その後、用紙Ｓは、前上側へＵターンするように搬送されて、トップカバー６に設けられる排紙トレイ２３に排紙される。
２．現像カートリッジの詳細
現像カートリッジ２５は、図２および図３に示すように、筐体の一例としてのカートリッジフレーム３１と、カートリッジフレーム３１の左側に配置される駆動入力部の一例としての駆動ユニット３２と、カートリッジフレーム３１の右側に配置される給電ユニット３３とを備えている。
【００５０】
なお、現像カートリッジ２５の説明において、方向について言及するときには、現像ローラ１６が配置されている側を現像カートリッジ２５の後側とし、層厚規制ブレード２８が配置されている側を上側とする。すなわち、現像カートリッジ２５に関する上下前後方向は、プリンタ１に関する上下前後方向と相異なり、現像カートリッジ２５は、その後側がプリンタ１の後下側、その前側がプリンタ１の前上側となるように、プリンタ１およびドラムカートリッジ２４に装着されている。
（１）カートリッジフレーム
カートリッジフレーム３１は、左右方向（対向方向）に延びる略ボックス形状に形成されている。カートリッジフレーム３１は、左右１対の側壁３４、前壁３５、下壁３６および上壁３７を備えている。なお、以下の説明において、第１側壁の一例としての左側の側壁３４を左壁３４Ｌとし、第２側壁の一例としての右側の側壁３４を右壁３４Ｒとする。
【００５１】
両側壁３４は、上下前後に延びる側面視略矩形状に形成され、互いに左右方向に間隔を隔てて対向配置されている。また、両側壁３４には、アジテータ軸露出穴３８が形成されている。
【００５２】
アジテータ軸露出穴３８は、側壁３４の前後方向略中央において、側面視略円形状に貫通形成されている。アジテータ軸露出穴３８の直径は、アジテータ軸４８の左右方向端部の直径よりも大径に形成されている。そして、アジテータ軸４８の左右方向端部は、アジテータ軸露出穴３８を介して、側壁３４から左右方向外側へ露出されている。アジテータ軸４８の左右方向両端部には、アジテータギヤ４５が相対回転不能に支持されている。
【００５３】
前壁３５は、左右方向に延び、両側壁３４の前端部間に架設されている。
【００５４】
下壁３６は、左右方向に延び、前壁３５の下端部に連続するように、両側壁３４の下端部間に架設されている。
【００５５】
上壁３７は、左右方向に延び、前壁３５の上端部に連続するように、両側壁３４の上端部間に架設されている。上壁３７の後端部には、層厚規制ブレード２８が、現像ローラ１６に上側から接触されるように配置されている。
（２）駆動ユニット
駆動ユニット３２は、図２に示すように、駆動側カバー４１を備えている。
【００５６】
駆動側カバー４１は、左右方向に延び、左端部が閉鎖された略角筒形状に形成され、現像カートリッジ２５の左端部を被覆している。駆動側カバー４１には、カラー部４２が設けられている。
【００５７】
カラー部４２は、駆動側カバー４１の前後方向略中央の左壁から左側へ突出する略円筒形状に形成されている。なお、カラー部４２の右端部は、駆動側カバー４１内に連通されている。
【００５８】
そして、カラー部４２内には、左右方向に延びる略円柱形状の現像カップリング（図示せず）が相対回転可能に支持されている。現像カップリング（図示せず）の左端部は、カラー部４２の左端部から左側へ露出されている。現像カップリング（図示せず）の左端部には、本体ケーシング２内の本体カップリング（図示せず）が相対回転不能に嵌合され、本体カップリング（図示せず）を介して、本体ケーシング２から駆動力が入力される。現像カップリング（図示せず）に入力された駆動力は、ギヤ列（図示せず）を介して、現像ローラ１６の現像ローラ軸３０、供給ローラ２７の供給ローラ軸、および、アジテータ軸４８に伝達される。
（３）給電ユニット
給電ユニット３３は、図２および図３に示すように、軸受部材５１、カートリッジ電極５２および給電側カバー５４を備えている。
（３−１）軸受部材
軸受部材５１は、図４に示すように、現像カートリッジ２５の後端部において、右壁３４Ｒの右側に組み付けられており、導電性の樹脂材料などから側面視略矩形の平板形状に形成されている。軸受部材５１は、現像ローラ軸支持部５５と、電極支持部５６とを備えている。
【００５９】
現像ローラ軸支持部５５は、軸受部材５１の後端部に配置され、軸受部材５１の右面から右側へ延びる略円筒形状に形成されている。現像ローラ軸支持部５５の内径は、現像ローラ軸３０の右端部と略同径（わずかに大径）に形成されている。なお、軸受部材５１には、現像ローラ軸支持部５５と中心軸線を共有するように、現像ローラ軸支持部５５の内径と同径の開口（図示せず）が形成されている。そして、現像ローラ軸３０は、その右端部において、現像ローラ軸支持部５５内に回転可能に支持されている。
【００６０】
電極支持部５６は、軸受部材５１の下側前端部から前側へ突出するように、前後方向に延びる略杆形状に形成されている。電極支持部５６の前端部には、カートリッジ電極５２を支持する支持ボス５７が設けられている。
【００６１】
支持ボス５７は、電極支持部５６の右端面から右側へ突出する略円柱形状に形成されている。
（３−２）カートリッジ電極
カートリッジ電極５２は、図３および図５に示すように、導電性の樹脂材料からなり、軸受部材５１の後側に配置されている。カートリッジ電極５２は、ベース部６１、変位部６２および欠け歯ギヤ６４を一体的に備えている。
【００６２】
ベース部６１は、左右方向に厚みを有し、中心部分に貫通穴が形成された略円板形状に形成されている。
【００６３】
変位部６２は、ベース部６１の中心軸線を中心として、ベース部６１の周方向に沿って、中心角が約２７０°の略円弧形状に形成され、２つの凸部６５と、１つの凹部６６とを有している。
【００６４】
凸部６５は、変位部６２の周方向両端部において、互いに約１８０°の間隔を隔てて配置されている。凸部６５は、ベース部６１の右面６３から右側へ膨出するように、ベース部６１の周方向に沿って延び、中心角が約９０°の平面視略扇形状に形成されている。なお、以下の説明において、カートリッジ電極５２と本体電極８１とが左右方向に対向された位置を基準として、右側面視反時計回り方向下流側の凸部６５を第１凸部６５Ａとし、右側面視反時計回り方向上流側の凸部６５を第２凸部６５Ｂとする。
【００６５】
凹部６６は、両凸部６５の間に挟まれるように、ベース部６１の右面６３と、各凸部６５とによって、中心角が約９０°の平面視略扇形状に区画されている。すなわち、凹部６６は、凸部６５から左側（対向方向他方側）に凹んでいる。凹部６６の右側面視反時計回り方向上流側の第１傾斜面の一例としての第１端面６７は、右側面視反時計回り方向において下流側から上流側へ向かうに従って、右側へ傾斜されている。また、凹部６６の右側面視反時計回り方向下流側の第２傾斜面の一例としての第２端面６８は、右側面視反時計回り方向において下流側から上流側へ向かうに従って、左側へ傾斜されている。
【００６６】
欠け歯ギヤ６４は、ベース部６１と中心軸線を共有するように、ベース部６１の左面から左側へ延びる略円筒形状に形成されている。欠け歯ギヤ６４の周面には、変位部６２に対応するように、中心角が約２７０°をなす部分にギヤ歯が形成されている。詳しくは、ギヤ歯は、右側面視反時計回り方向において、その上流側端部が、変位部６２の上流側端部の下側に配置され、その下流側端部が、変位部６２の下流側端部の下側に配置されるように、形成されている。なお、欠け歯ギヤ６４において、ギヤ歯が形成されている部分が歯部６９であり、ギヤ歯が形成されていない部分が欠け歯部７０である。
【００６７】
そして、カートリッジ電極５２は、軸受部材５１の支持ボス５７に、ベース部６１の中心軸線を中心として、回転可能に支持されている。
【００６８】
また、現像カートリッジ２５が新品（未使用）の状態では、カートリッジ電極５２の欠け歯ギヤ６４は、歯部６９の右側面視反時計回り方向下流側端部において、アジテータギヤ４５に後側から噛合されている。
【００６９】
この状態において、第１凸部６５Ａは、カートリッジ電極５２の上端部に配置されている。
（３−３）給電側カバー
給電側カバー５４は、図２に示すように、右端部が閉鎖された側面視略矩形の枠形状に形成されている。給電側カバー５４は、カートリッジ電極５２を収容するように、現像カートリッジ２５の右端部を被覆している。給電側カバー５４には、電極露出開口５８が形成されている。
【００７０】
電極露出開口５８は、給電側カバー５４の前後方向略中央の下側において、側面視略円形状に貫通形成されている。
【００７１】
カートリッジ電極５２は、電極露出開口５８から露出される。
３．本体ケーシング
本体ケーシング２内には、図７に示すように、本体電極８１と、アクチュエータ８２と、フォトセンサ８３と、判断手段の一例としてのＣＰＵ８４とが設けられている。
【００７２】
本体電極８１は、本体ケーシング２内において現像カートリッジ２５の右側近傍に設けられ、金属から左右方向に延びる略円柱形状に形成されている。本体電極８１は、本体ケーシング２に、左側へ進出された第２被検知位置の一例としての進出位置（図７（ａ）参照）と、進出位置から右側へ退避された第１被検知位置の一例としての退避位置（図７（ｂ）参照）とに、左右方向にスライド可能に支持され、本体ケーシング２内の電源（図示せず）に電気的に接続されている。
【００７３】
アクチュエータ８２は、上下方向に延びる略円筒形状の揺動軸８５と、揺動軸８５から前側に延びる当接レバー８６と、揺動軸８５から後側に延びる遮光レバー８７とを一体的に備えている。遮光レバー８７には、その後端部から下側へ延びる遮光板８８が設けられている。
【００７４】
そして、アクチュエータ８２は、当接レバー８６が本体電極８１の右端部に当接するように、現像カートリッジ２５の右側近傍において、揺動軸８５を支点として、本体ケーシング２に揺動可能に支持されている。
【００７５】
アクチュエータ８２は、当接レバー８６が前左側に延び、遮光レバー８７が後右側に延びる非遮光位置（図７（ａ）参照）と、当接レバー８６および遮光レバー８７が前後方向に沿う遮光位置（図７（ｂ）参照）とに揺動可能に設けられている。アクチュエータ８２は、ばねなどの付勢手段（図示せず）により、常には、非遮光位置に配置されるように、平面視時計回り方向に付勢されている。
【００７６】
フォトセンサ８３は、検知光を発光する発光素子８９と、発光素子８９の後側に間隔を隔てて対応配置され、検知光を受光する受光素子９０とを備えている。フォトセンサ８３は、遮光位置におけるアクチュエータ８２の遮光板８８を、発光素子８９と受光素子９０とで前後方向から挟むように、アクチュエータ８２の後側に配置されている。フォトセンサ８３は、アクチュエータ８２とともに、検知手段を構成する。
【００７７】
そして、アクチュエータ８２が遮光位置に配置されているときには、アクチュエータ８２の遮光板８８が発光素子８９と受光素子９０との間に介在されて、フォトセンサ８３の発光素子８９からの検知光が、遮光レバー８７の遮光板８８により遮光される。
【００７８】
一方、アクチュエータ８２が非遮光位置に配置されているときには、アクチュエータ８２の遮光板８８が発光素子８９と受光素子９０との間から右側へ退避されて、フォトセンサ８３の発光素子８９からの検知光が、受光素子９０によって受光される。すると、フォトセンサ８３からオン信号が出力される。
【００７９】
ＣＰＵ８４は、本体ケーシング２内に設けられ、フォトセンサ８３からのオン信号を受信可能に、フォトセンサ８３に電気的に接続されている。
４．現像カートリッジの新品検知動作
以下、現像カートリッジ２５の新品検知動作を説明する。
【００８０】
まず、本体ケーシング２内にプロセスカートリッジ１１が装着されていないときには、アクチュエータ８２が付勢手段（図示せず）の付勢力によって非遮光位置に配置されて、本体電極８１が進出位置に配置されている。これにより、フォトセンサ８３は、ＣＰＵ８４にオン信号を発信する。
【００８１】
すると、ＣＰＵ８４は、フォトセンサ８３からオン信号を受信したことにより、本体電極８１が進出位置に配置されていると判断する。
【００８２】
そして、ＣＰＵ８４は、この状態（本体電極８１が進出位置に配置されている状態）で所定時間が経過すると（すなわち、所定時間内にフォトセンサ８３からのオン信号が停止されないと）、現像カートリッジ２５が本体ケーシング２から離脱されていると判断する。
【００８３】
そして、本体ケーシング２のトップカバー６を開放して、新品（未使用）の現像カートリッジ２５が装着されたプロセスカートリッジ１１を本体ケーシング２に前上側から挿入すると、図７（ｂ）に示すように、カートリッジ電極５２の第１凸部６５Ａが左側から本体電極８１の左端部に接触される。
【００８４】
すると、アクチュエータ８２の付勢手段（図示せず）の付勢力に抗して、本体電極８１が右側へ押圧されて退避位置に配置され、アクチュエータ８２が平面視反時計回り方向に揺動されて遮光位置に配置される。
【００８５】
これにより、フォトセンサ８３は、ＣＰＵ８４に対するオン信号の発信を停止する。すなわち、検知手段（アクチュエータ８２およびフォトセンサ８３）は、本体電極８１が退避位置に配置されたことを検知する。
【００８６】
すると、ＣＰＵ８４は、フォトセンサ８３からのオン信号が途切れたことにより、本体電極８１が進出位置から退避位置へ移動されたと判断する。
【００８７】
そして、現像カートリッジ２５が本体ケーシング２に装着されると、本体ケーシング２内の本体カップリング（図示せず）が駆動ユニット３２の現像カップリング（図示せず）に相対回転不能に嵌合される。そして、本体カップリング（図示せず）を介して、現像カップリング（図示せず）に本体ケーシング２から駆動力が入力され、ウォーミングアップ動作が開始される。
【００８８】
すると、現像カップリング（図示せず）から、ギヤ列（図示せず）を介して、アジテータ軸４８に駆動力が伝達され、アジテータ４７が回転される。
【００８９】
そして、アジテータ４７が回転されると、図３に示すように、アジテータ軸４８およびアジテータギヤ４５を介して、カートリッジ電極５２の欠け歯ギヤ６４の歯部６９に駆動力が伝達され、カートリッジ電極５２が右側面視反時計回りに回転される。
【００９０】
すると、図７（ａ）に示すように、本体電極８１は、カートリッジ電極５２の第１凸部６５Ａから、右側面視時計回り方向に相対移動され、その左端部において、凹部６６に対向される。つまり、本体電極８１は、凹部６６の凹みの分、左側への移動が許容される。
【００９１】
そして、本体電極８１は、アクチュエータ８２の付勢手段（図示せず）の付勢力により左側へ押圧されて、その左端部が凹部６６の第２端面６８の傾斜に沿って凹部６６内に受け入れられるように、進出位置に配置される。
【００９２】
同時に、アクチュエータ８２の付勢手段（図示せず）の付勢力により、アクチュエータ８２が遮光位置から平面視時計回り方向に揺動されて非遮光位置に配置される。
【００９３】
これにより、フォトセンサ８３は、ＣＰＵ８４にオン信号を出力する。すなわち、検知手段（アクチュエータ８２およびフォトセンサ８３）は、本体電極８１が進出位置に配置されたことを検知する。
【００９４】
すると、ＣＰＵ８４は、フォトセンサ８３からのオン信号を受信したことにより、本体電極８１が退避位置から進出位置へ移動されたと判断する。
【００９５】
そして、さらにカートリッジ電極５２が右側面視反時計回りに回転されると、本体電極８１は、凹部６６から右側面視時計回り方向に相対移動される。
【００９６】
すると、本体電極８１は、凹部６６の第１端面６７の傾斜に沿って、アクチュエータ８２の付勢手段（図示せず）の付勢力に抗して、第２凸部６５Ｂに乗り上げるように、退避位置に配置される。
【００９７】
同時に、アクチュエータ８２の付勢手段（図示せず）の付勢力に抗して、アクチュエータ８２が非遮光位置から平面視反時計回り方向に揺動されて遮光位置に配置される。
【００９８】
これにより、フォトセンサ８３は、ＣＰＵ８４に対するオン信号の発信を停止する。すなわち、検知手段（アクチュエータ８２およびフォトセンサ８３）は、本体電極８１が退避位置に配置されたことを検知する。
【００９９】
すると、ＣＰＵ８４は、フォトセンサ８３からのオン信号が途切れたことにより、本体電極８１が進出位置から退避位置へ移動されたと判断する。
【０１００】
そして、さらにカートリッジ電極５２が右側面視反時計回りに回転されると、図５（ｂ）に示すように、カートリッジ電極５２の欠け歯部７０がアジテータギヤ４５に対向されて、カートリッジ電極５２の歯部６９とアジテータギヤ４５との噛合が解除され、カートリッジ電極５２の回転駆動が停止され、ウォーミングアップ動作が終了する。
【０１０１】
また、本体ケーシング２内の電源（図示せず）から本体電極８１を介してカートリッジ電極５２に現像バイアス（電力）が供給されると、軸受部材５１を介して、現像ローラ軸３０に現像バイアスが供給される。
【０１０２】
そして、ＣＰＵ８４は、ウォーミングアップ動作が開始された後に、本体電極８１が退避位置から進出位置へ移動され、その後、再び退避位置に移動されたと判断したときに、現像カートリッジ２５が新品（未使用）であると判断する。
【０１０３】
その結果、新品の現像カートリッジ２５が装着されると、ＣＰＵ８４は、その現像カートリッジ２５が新品であると判断し、その現像カートリッジ２５の装着時から実際の画像形成枚数を計測して、実際の画像形成枚数が、その現像カートリッジ２５の規定の画像形成枚数（例えば、６０００枚）を超える直近に、図示しない操作パネルなどに、現像カートリッジ２５の交換時期であることの通知を表示する。
【０１０４】
なお、ＣＰＵ８４は、所定時間内にフォトセンサ８３からのオン信号が停止されたとき（すなわち、本体電極８１が退避位置に配置されたと判断したとき）に、現像カートリッジ２５が本体ケーシング２に装着されていると判断する。
【０１０５】
一方、新品の現像カートリッジ２５を装着した後に、たとえば、用紙Ｓの詰まり（ジャム）などによって、一旦、その現像カートリッジ２５を本体ケーシング２から離脱させ、再び本体ケーシング２に装着したときには、カートリッジ電極５２は、欠け歯ギヤ６４の欠け歯部７０がアジテータギヤ４５と対向する位置で停止されている。
【０１０６】
そのため、再装着において、ウォーミングアップ動作が実行されても、カートリッジ電極５２は回転駆動されず、新品検知動作は実施されない。このときには、本体電極８１が常に退避位置に配置されているため、ＣＰＵ８４は、常に、フォトセンサ８３からのオン信号を受信せず、本体電極８１が退避位置に配置されていると判断する。
【０１０７】
これにより、ＣＰＵ８４は、現像カートリッジ２５が本体ケーシング２に装着されていると判断する。また、ＣＰＵ８４は、その再装着された現像カートリッジ２５（旧品の現像カートリッジ２５）を、旧品であると判断する。
【０１０８】
そして、ＣＰＵ８４は、規定の画像形成枚数と、その新品と判断したときからの実際の画像形成枚数との比較を継続する。
５．作用効果
（１）このプリンタ１によれば、図７に示すように、カートリッジ電極５２に電気的に接続される本体電極８１を、カートリッジ電極５２の移動（回転移動）によって、進出位置（図７（ａ）参照）と退避位置（図７（ｂ）参照）とに移動させ、その本体電極８１の移動により、現像カートリッジ２５の状態を新品であると判断することができる。
【０１０９】
そのため、カートリッジ電極５２と本体電極８１との位置決め精度を確保するだけで、現像カートリッジ２５への給電、および、現像カートリッジ２５の状態の検知の両方を実施することができ、確実に、現像カートリッジ２５の状態を検知することができる。
（２）また、このプリンタ１および現像カートリッジ２５によれば、図５（ａ）に示すように、カートリッジ電極２５は、凸部６５と、凸部６５から左側に凹む凹部６６とを有している。
【０１１０】
そのため、簡易な構成で、本体電極８１を左右方向に移動させることができる。
（３）また、このプリンタ１および現像カートリッジ２５によれば、図６（ａ）に示すように、本体電極８１を、凹部６６の第２端面６８に沿うように、退避位置から進出位置に向かって左側へ移動させることができる。
【０１１１】
また、図６（ｂ）に示すように、本体電極８１を、凹部６６の第１端面６７に沿うように、進出位置から退避位置に向かって右側へ移動させることができる。
【０１１２】
そのため、本体電極８１を左右方向に円滑に移動させることができる。
（４）また、このプリンタ１および現像カートリッジ２５によれば、図５（ｂ）に示すように、カートリッジ電極５２は、歯部６９と欠け歯部７０とを含む欠け歯ギヤ６４を備えている。
【０１１３】
そのため、カートリッジ電極５２を、確実に、所定の移動量で移動させることができる。
（５）また、このプリンタ１および現像カートリッジ２５によれば、図６に示すように、カートリッジ電極５２は、回転可能に設けられていている。
【０１１４】
このような構成によれば、簡易な構成で確実に、本体電極８１を移動させることができる。
（６）また、このプリンタ１によれば、本体電極８１の位置を検知することにより、簡易な構成で、本体ケーシング２内における現像カートリッジ２５の有無を検知することができる。
（７）また、この現像カートリッジ２５によれば、図７に示すように、カートリッジ電極５２の移動に伴う凸部６５および凹部６６の移動を、外部の構成（本体電極８１、アクチュエータ８２およびフォトセンサ８３）で検知すれば、カートリッジ電極５２を利用して、現像カートリッジ２５の新旧を検知することができる。
【０１１５】
そのため、外部から検知されるための部材を別途設ける必要がなく、現像カートリッジ２５の構成を簡略化することができる。
６．第２実施形態
図８および図９を参照して、現像カートリッジ２５の第２実施形態を説明する。なお、第２実施形態において、上記した第１実施形態と同様の部材には同様の符号を付し、その説明を省略する。
【０１１６】
上記した第１実施形態では、カートリッジ電極５２を略円板形状に構成し、右側面視反時計回り方向に回転可能に設けたが、第２実施形態では、カートリッジ電極５２を略矩形平板形状に構成し、前後方向にスライド（直線移動）可能に設ける。
【０１１７】
また、上記した第１実施形態では、ＣＰＵ８４は、現像カートリッジ２５のウォーミングアップ動作が開始された後に、本体電極８１が退避位置から進出位置へ移動され、その後、再び退避位置に移動されたと判断したときに、現像カートリッジ２５が新品（未使用）であると判断している。
【０１１８】
しかし、第２実施形態では、ＣＰＵ８４は、現像カートリッジ２５のウォーミングアップ動作が開始された後に、本体電極８１が進出位置から退避位置へ移動されたと判断したときに、現像カートリッジ２５が新品（未使用）であると判断する。
【０１１９】
詳しくは、給電ユニット３３は、カートリッジ電極９６と、カートリッジ電極９６を前後方向にスライド可能に支持する支持レール９７と、カートリッジ電極９６に駆動力を入力するピニオンギヤ９８とを備えている。
【０１２０】
カートリッジ電極９６は、後側が開放された側面視略Ｕ字形状に形成されており、変位部９９と、欠け歯ギヤの一例としてのラック部１００とを備えている。
【０１２１】
変位部９９は、側面視略矩形の平板形状に形成されている。また、変位部９９の前端部は、後側へ向かうに従って右側へ傾斜されている。
【０１２２】
ラック部１００は、変位部９９の下端部から前側へ向かって延びる略杆形状に形成されている。ラック部１００の上面には、前端部から前後方向略中央までの間において、ギヤ歯が形成されている。ラック部１００において、ギヤ歯が形成されている部分が歯部９１であり、ギヤ歯が形成されていない部分が欠け歯部９２である。
【０１２３】
なお、ラック部１００は、軸受部材５１の支持ボス５７の右端部に左側から当接されている。
【０１２４】
支持レール９７は、上下１対のレール部９５を備えている。両レール部９５は、上下方向に互いに間隔を隔てて対向配置されており、カートリッジ電極９６の上下両端部を上下方向外側からスライド可能に支持している。
【０１２５】
ピニオンギヤ９８は、両レール部９５間において、アジテータ軸４８の右端部に回転可能に支持されており、ラック部１００の歯部９１の前端部に上側から噛合されている。
【０１２６】
そして、本体ケーシング２内にプロセスカートリッジ１１が装着されていないときには、第１実施形態と同様に、アクチュエータ８２が付勢手段（図示せず）の付勢力によって非遮光位置に配置されて、本体電極８１が進出位置に配置されている。これにより、フォトセンサ８３は、ＣＰＵ８４にオン信号を出力する。
【０１２７】
そして、ＣＰＵ８４は、この状態（本体電極８１が進出位置に配置されている状態）で所定時間が経過すると（すなわち、所定時間内にフォトセンサ８３からのオン信号が停止されないと）、現像カートリッジ２５が本体ケーシング２から離脱されていると判断する。
【０１２８】
そして、新品（未使用）の現像カートリッジ２５が本体ケーシング２に装着されると、本体ケーシング２内の本体カップリング（図示せず）が駆動ユニット３２の現像カップリング（図示せず）に相対回転不能に嵌合され、ウォーミングアップ動作が開始される。
【０１２９】
なお、新品（未使用）の現像カートリッジ２５が本体ケーシング２に装着されたときには、本体電極８１は、カートリッジ電極５２の変位部９９の前側において、進出位置に配置されている。
【０１３０】
ウォーミングアップ動作が開始されると、現像カップリング（図示せず）から、ギヤ列（図示せず）を介して、アジテータ軸４８に駆動力が伝達され、アジテータ４７が回転される。
【０１３１】
そして、アジテータ４７が回転されると、アジテータ軸４８およびピニオンギヤ９８を介して、カートリッジ電極９６のラック部１００に駆動力が伝達され、カートリッジ電極９６が前側にスライドされる。
【０１３２】
すると、本体電極８１は、変位部９９の前端部の傾斜に沿って、アクチュエータ８２の付勢手段（図示せず）の付勢力に抗して、変位部９９の右面に乗り上げる。そして、ラック部１００の欠け歯部９２にピニオンギヤ９８が対向されると、ラック部１００とピニオンギヤ９８との噛合が解除されて、カートリッジ電極９６のスライドが停止される。これにより、ウォーミングアップ動作が終了する。
【０１３３】
これにより、本体電極８１は、アクチュエータ８２の付勢手段（図示せず）の付勢力に抗して、進出位置から右側へ移動されて退避位置に配置される。
【０１３４】
同時に、アクチュエータ８２の付勢手段（図示せず）の付勢力に抗して、アクチュエータ８２が非遮光位置から平面視反時計回り方向に揺動されて遮光位置に配置される。
【０１３５】
これにより、フォトセンサ８３は、ＣＰＵ８４に対するオン信号の発信を停止する。すなわち、検知手段（アクチュエータ８２およびフォトセンサ８３）は、本体電極８１が退避位置に配置されたことを検知する。
【０１３６】
すると、ＣＰＵ８４は、フォトセンサ８３からのオン信号が途切れたことにより、本体電極８１が進出位置から退避位置へ移動されたと判断する。
【０１３７】
そして、ＣＰＵ８４は、ウォーミングアップ動作が開始された後に、本体電極８１が進出位置から退避位置へ移動されたと判断したときに、現像カートリッジ２５が新品（未使用）であると判断する。
【０１３８】
なお、ＣＰＵ８４は、所定時間内にフォトセンサ８３からのオン信号が停止されたとき（すなわち、本体電極８１が退避位置に配置されたと判断したとき）に、現像カートリッジ２５が本体ケーシング２に装着されていると判断する。
【０１３９】
第２実施形態によれば、図８（ａ）に示すように、カートリッジ電極９６は、前側に向かってスライド可能に設けられている。
【０１４０】
そのため、簡易な構成で確実に、本体電極８１を移動させることができる。
【０１４１】
また、第２実施形態においても、上記した第１実施形態と同様の作用効果を得ることができる。
７．第３実施形態
図１０および図１１を参照して、現像カートリッジ２５の第３実施形態を説明する。なお、第３実施形態において、上記した第１実施形態と同様の部材には同様の符号を付し、その説明を省略する。
【０１４２】
上記した第１実施形態では、カートリッジ電極５２は、２つ凸部６５を備えている。そして、両凸部６５の間に１つの凹部６６が区画されている。
【０１４３】
また、本体電極８１は、左側へ進出された進出位置（図７（ａ）参照）と、進出位置から右側へ退避された退避位置（図７（ｂ）参照）とに、左右方向にスライド可能に設けられている。
【０１４４】
また、アクチュエータ８２は、当接レバー８６が前左側に延び、遮光レバー８７が後右側に延びる非遮光位置（図７（ａ）参照）と、当接レバー８６および遮光レバー８７が前後方向に沿う遮光位置（図７（ｂ）参照）とに揺動可能に設けられている。
【０１４５】
そして、ＣＰＵ８４は、現像カートリッジ２５のウォーミングアップ動作が開始された後に、本体電極８１が退避位置から進出位置へ移動され、その後、再び退避位置に移動されたと判断したときに、現像カートリッジ２５が新品（未使用）であると判断している。
【０１４６】
しかし、第３実施形態では、図１１に示すよう、カートリッジ電極５２に、１つの凸部６５を設ける。なお、凸部６５の両側（右側面視時計回り方向における上流側および下流側）が、それぞれ、凹部６６として機能する。
【０１４７】
また、本体電極８１を、プリンタ１の画像形成時にカートリッジ電極５２と接触される第１被検知位置の一例としての基準位置（図１１（ｂ）参照）と、基準位置から左側へ進出された進出位置（図１１（ａ）参照）と、基準位置から右側へ退避された第２被検知位置の一例としての退避位置（図１１（ｃ）参照）とに、左右方向にスライド可能に設ける。
【０１４８】
また、アクチュエータ８２を、当接レバー８６が前左側に延び、遮光レバー８７が後右側に延びる第１非遮光位置（図１１（ａ）参照）と、当接レバー８６および遮光レバー８７が前後方向に沿う遮光位置（図１１（ｂ）参照）と、当接レバー８６が前右側に延び、遮光レバー８７が後右側に延びる第２非遮光位置（図１１（ｃ）参照）とに揺動可能に設ける。アクチュエータ８２は、ばねなどの付勢手段（図示せず）により、常には、第１非遮光位置に配置されるように、平面視時計回り方向に付勢されている。
【０１４９】
そして、第３実施形態では、図１１（ａ）に示すように、本体ケーシング２内にプロセスカートリッジ１１が装着されていないときには、アクチュエータ８２が付勢手段（図示せず）の付勢力によって第１非遮光位置に配置されて、本体電極８１が進出位置に配置されている。これにより、フォトセンサ８３は、ＣＰＵ８４にオン信号を出力する。
【０１５０】
そして、ＣＰＵ８４は、この状態（本体電極８１が進出位置に配置されている状態）で所定時間が経過すると（すなわち、所定時間内にフォトセンサ８３からのオン信号が停止されないと）、現像カートリッジ２５が本体ケーシング２から離脱されていると判断する。
【０１５１】
そして、新品（未使用）の現像カートリッジ２５が装着されると、図１１（ｂ）に示すように、カートリッジ電極５２の凸部６５の右側面視時計回り方向下流側のベース部６１が左側から本体電極８１の左端部に接触される。
【０１５２】
すると、アクチュエータ８２の付勢手段（図示せず）の付勢力に抗して、本体電極８１が右側へ押圧されて基準位置に配置され、アクチュエータ８２が平面視反時計回り方向に揺動されて遮光位置に配置される。
【０１５３】
これにより、フォトセンサ８３は、ＣＰＵ８４に対するオン信号の発信を停止する。すなわち、検知手段（アクチュエータ８２およびフォトセンサ８３）は、本体電極８１が基準位置に配置されていることを検知する。
【０１５４】
すると、ＣＰＵ８４は、ウォーミングアップ動作前にフォトセンサ８３からのオン信号が途切れたことにより、本体電極８１が進出位置から基準位置へ移動されたと判断する。
【０１５５】
一方、現像カートリッジ２５が本体ケーシング２内に装着されると、ウォーミングアップ動作が開始され、カートリッジ電極５２が右側面視時計回りに回転される。
【０１５６】
すると、図１１（ｃ）に示すように、本体電極８１は、凸部６５の右側面視時計回り方向下流側の凹部６６から右側面視反時計回り方向に相対移動される。
【０１５７】
すると、本体電極８１は、アクチュエータ８２の付勢手段（図示せず）の付勢力に抗して凸部６５に乗り上げて、退避位置に配置される。
【０１５８】
同時に、アクチュエータ８２の付勢手段（図示せず）の付勢力に抗して、アクチュエータ８２が遮光位置から平面視反時計回り方向に揺動されて第２非遮光位置に配置される。
【０１５９】
これにより、フォトセンサ８３は、ＣＰＵ８４にオン信号を出力する。すなわち、検知手段（アクチュエータ８２およびフォトセンサ８３）は本体電極８１が退避位置に配置されたことを検知する。
【０１６０】
すると、ＣＰＵ８４は、ウォーミングアップ動作が開始された後にフォトセンサ８３からのオン信号を受信したことにより、本体電極８１が基準位置から退避位置へ移動されたと判断する。
【０１６１】
そして、さらにカートリッジ電極５２が右側面視時計回りに回転されると、本体電極８１は、凸部６５から右側面視反時計回り方向に相対移動され、右側面視時計回り方向上流側の凹部６６に対向されて、左側への移動が許容される。
【０１６２】
そして、本体電極８１は、アクチュエータ８２の付勢手段（図示せず）の付勢力により左側へ移動され、進出位置に配置される。
【０１６３】
同時に、アクチュエータ８２の付勢手段（図示せず）の付勢力により、アクチュエータ８２が第２非遮光位置から平面視時計回り方向に揺動されて遮光位置に配置される。
【０１６４】
これにより、フォトセンサ８３は、ＣＰＵ８４に対するオン信号の発信を停止する。すなわち、検知手段（アクチュエータ８２およびフォトセンサ８３）は、本体電極８１が進出位置に配置されたことを検知する。
【０１６５】
すると、ＣＰＵ８４は、フォトセンサ８３からのオン信号が途切れたことにより、本体電極８１が退避位置から基準位置へ移動されたと判断する。
【０１６６】
そして、さらにカートリッジ電極５２が右側面視反時計回りに回転されると、カートリッジ電極５２の欠け歯部７０がアジテータギヤ４５に対向されて、カートリッジ電極５２の歯部６９とアジテータギヤ４５との噛合が解除され、カートリッジ電極５２の回転駆動が停止され、ウォーミングアップ動作が終了する。
【０１６７】
そして、ＣＰＵ８４は、ウォーミングアップ動作が開始された後に、本体電極８１が基準位置から退避位置へ移動され、その後、再び基準位置に移動されたと判断したときに、現像カートリッジ２５が新品（未使用）であると判断する。
【０１６８】
なお、ＣＰＵ８４は、所定時間内にフォトセンサ８３からのオン信号が停止されたとき（すなわち、本体電極８１が基準位置に配置されたと判断したとき）に、現像カートリッジ２５が本体ケーシング２に装着されていると判断する。
【０１６９】
第３実施形態においても、上記した第１実施形態と同様の作用効果を得ることができる。
８．第４実施形態
図１２および図１３を参照して、現像カートリッジ２５の第４実施形態を説明する。なお、第４実施形態において、上記した第１実施形態および第３実施形態と同様の部材には同様の符号を付し、その説明を省略する。
【０１７０】
上記した第１実施形態では、カートリッジ電極５２は、軸受部材５１の支持ボス５７に、右側面視反時計回りに回転可能に支持されている。
【０１７１】
しかし、第４実施形態では、カートリッジ電極１０１を、軸受部材５１の支持ボス１０２（図１２（ｂ）参照）に、右側面視時計回りに回転しながら左右方向に進退可能に支持する。
【０１７２】
詳しくは、カートリッジ電極１０１は、図１２に示すように、導電性の樹脂などからなり、本体電極８１に接触される電極本体１０３と、欠け歯ギヤ１０４とを一体的に備えている。
【０１７３】
電極本体１０３は、左右方向に延びる略円柱形状に形成されている。また、電極本体１０３の右面は、凹凸のない平坦面として形成されている。
【０１７４】
欠け歯ギヤ１０４は、電極本体１０３と中心軸線を共有するように、電極本体１０３の左面から左側へ延びる略円柱形状に形成されている。欠け歯ギヤ１０４の周面には、中心角が約２７０°をなす部分にギヤ歯が形成されている。なお、欠け歯ギヤ１０４において、ギヤ歯が形成されている部分が歯部１０５であり、ギヤ歯が形成されていない部分が欠け歯部１０６である。また、欠け歯部１０６は、２つの突出部の一例としての電極側変位部１０７を備えている（図１２（ａ）参照）。
【０１７５】
電極側変位部１０７は、欠け歯部１０６の左面から左側へ突出し、欠け歯ギヤ１０４の周方向に延びる突条として形成されている。各電極側変位部１０７は、欠け歯ギヤ１０４の中心軸線から等しい距離に配置されるように、欠け歯ギヤ１０４の径方向に互いに間隔を隔てて対向配置されている。また、電極側変位部１０７の左面１０８は、カートリッジ電極１０１の回転方向Ｒ（右側面視時計回り方向、後述）において、上流側から下流側へ向かうに従って左側へ傾斜されている。電極側変位部１０７の左面１０８は、第３傾斜面として機能する。
【０１７６】
支持ボス１０２は、軸受部材５１の前端部において、軸受部材５１の右端面から右側へ突出する略円柱形状に形成されている。また、支持ボス１０２は、支持ボス側変位部１０９を備えている。
【０１７７】
支持ボス側変位部１０９は、支持ボス１０２の右面から右側へ突出し、支持ボス１０２の周方向に延びる突条として形成されている。各支持ボス側変位部１０９は、支持ボス１０２の中心軸線から等しい距離に配置されるように、支持ボス１０２の径方向に互いに間隔を隔てて対向配置されている。また、支持ボス側変位部１０９の右面１１０は、カートリッジ電極１０１の回転方向Ｒにおいて、上流側から下流側へ向かうに従って右側へ傾斜されている。
【０１７８】
そして、カートリッジ電極１０１は、支持ボス１０２と中心軸線を共有し、電極側変位部１０７の回転方向上流側端部が、支持ボス側変位部１０９の回転方向上流側端部に当接されるように、支持ボス１０２の右端部に回転可能に支持されている。
【０１７９】
カートリッジ電極１０１は、電極側変位部１０７が支持ボス側変位部１０９の上を摺動するように回転方向Ｒに回転されて、右側に向かって進出する第１位置（図１３（ａ）参照）と、左側に向かって退避する第２位置（図１３（ｂ））とに移動される。
【０１８０】
第４実施形態では、第３実施形態と同様に、本体ケーシング２内にプロセスカートリッジ１１が装着されていないときには、アクチュエータ８２が付勢手段（図示せず）の付勢力によって第１非遮光位置（図１１（ａ）参照に配置されて、本体電極８１が進出位置に配置されている。これにより、フォトセンサ８３は、ＣＰＵ８４にオン信号を出力する。
【０１８１】
そして、ＣＰＵ８４は、この状態（本体電極８１が進出位置に配置されている状態）で所定時間が経過すると（すなわち、所定時間内にフォトセンサ８３からのオン信号が停止されないと）、現像カートリッジ２５が本体ケーシング２から離脱されていると判断する。
【０１８２】
そして、図１３（ａ）に示すように、新品（未使用）の現像カートリッジ２５が装着されると、カートリッジ電極１０１の電極本体１０３が左側から本体電極８１の左端部に接触される。
【０１８３】
すると、アクチュエータ８２の付勢手段（図示せず）の付勢力に抗して、本体電極８１が右側へ押圧されて基準位置に配置され、アクチュエータ８２が平面視反時計回り方向に揺動されて遮光位置に配置される。
【０１８４】
これにより、フォトセンサ８３は、ＣＰＵ８４に対するオン信号の発信を停止する。すなわち、検知手段（アクチュエータ８２およびフォトセンサ８３）は、本体電極８１が基準位置に配置されていることを検知する。
【０１８５】
すると、ＣＰＵ８４は、ウォーミングアップ動作前にフォトセンサ８３からのオン信号が途切れたことにより、本体電極８１が進出位置から基準位置へ移動されたと判断する。
【０１８６】
一方、現像カートリッジ２５が本体ケーシング２内に装着されると、ウォーミングアップ動作が開始され、カートリッジ電極１０１が右側面視時計回りに回転される。
【０１８７】
すると、図１３（ｂ）に示すように、カートリッジ電極１０１は、その電極側変位部１０７の左面１０８と、支持ボス１０２の支持ボス側変位部１０９の右面１１０とが摺動することにより、その回転に伴って、右側に徐々に移動されて、第１位置に配置される。
【０１８８】
同時に、本体電極８１は、カートリッジ電極１０１によって右側へ押圧され、アクチュエータ８２の付勢手段（図示せず）の付勢力に抗して、退避位置に配置される。また、アクチュエータ８２は、アクチュエータ８２の付勢手段（図示せず）の付勢力に抗して、遮光位置から平面視反時計回り方向に揺動されて第２非遮光位置に配置される。
【０１８９】
これにより、フォトセンサ８３は、ＣＰＵ８４にオン信号を出力する。すなわち、検知手段（アクチュエータ８２およびフォトセンサ８３）は本体電極８１が退避位置に配置されたことを検知する。
【０１９０】
すると、ＣＰＵ８４は、ウォーミングアップ動作が開始された後にフォトセンサ８３からのオン信号を受信したことにより、本体電極８１が基準位置から退避位置へ移動されたと判断する。
【０１９１】
そして、さらにカートリッジ電極１０１が右側面視時計回りに回転されると、電極側変位部１０７が支持ボス側変位部１０９の回転方向下流側に外れて、カートリッジ電極１０１の左側への移動が許容される。
【０１９２】
すると、図１３（ａ）に示すように、カートリッジ電極１０１は、アクチュエータ８２の付勢手段（図示せず）の付勢力により、本体電極８１を介して左側へ押圧されて、第２位置に配置される。
【０１９３】
同時に、本体電極８１は、アクチュエータ８２の付勢手段（図示せず）の付勢力により左側へ移動され、進出位置に配置される。また、アクチュエータ８２は、アクチュエータ８２の付勢手段（図示せず）の付勢力により、第２非遮光位置から平面視時計回り方向に揺動されて遮光位置に配置される。
【０１９４】
これにより、フォトセンサ８３は、ＣＰＵ８４に対するオン信号の発信を停止する。すなわち、検知手段（アクチュエータ８２およびフォトセンサ８３）は、本体電極８１が進出位置に配置されたことを検知する。
【０１９５】
すると、ＣＰＵ８４は、フォトセンサ８３からのオン信号が途切れたことにより、本体電極８１が退避位置から基準位置へ移動されたと判断する。
【０１９６】
そして、さらにカートリッジ電極１０１が右側面視反時計回りに回転されると、カートリッジ電極１０１の欠け歯部１０６がアジテータギヤ４５に対向されて、カートリッジ電極１０１の歯部１０５とアジテータギヤ４５との噛合が解除され、カートリッジ電極１０１の回転駆動が停止され、ウォーミングアップ動作が終了する。
【０１９７】
そして、ＣＰＵ８４は、ウォーミングアップ動作が開始された後に、本体電極８１が基準位置から退避位置へ移動され、その後、再び基準位置に移動されたと判断したときに、現像カートリッジ２５が新品（未使用）であると判断する。
【０１９８】
なお、ＣＰＵ８４は、所定時間内にフォトセンサ８３からのオン信号が停止されたとき（すなわち、本体電極８１が基準位置に配置されたと判断したとき）に、現像カートリッジ２５が本体ケーシング２に装着されていると判断する。
【０１９９】
第４実施形態によれば、図１３に示すように、カートリッジ電極１０１は、右側に向かって進出する第１位置（図１３（ａ））と、左側に向かって退避する第２位置（図１３（ｂ）とに移動可能である。
【０２００】
そのため、簡易な構成で、本体電極８１を左右方向に移動させることができる。
【０２０１】
また、第４実施形態によれば、図１３（ｂ）に示すように、カートリッジ電極１０１を、電極側変位部の左面１０８と、支持ボス側変位部１０９の右面１１０との摺動により、第１位置から第２位置に向かって右側へ移動させることができる。
【０２０２】
そのため、カートリッジ電極１０１を左右方向に円滑に移動させることができる。
【０２０３】
また、第４実施形態においても、上記した第３実施形態と同様の作用効果を得ることができる。
【符号の説明】
【０２０４】
１      プリンタ
２      本体ケーシング
２５    現像カートリッジ
３１    カートリッジフレーム
３２    駆動ユニット
３４Ｌ  左壁
３４Ｒ  右壁
５２    カートリッジ電極
６３    右面
６４    欠け歯ギヤ
６５    凸部
６６    凹部
６７    第１端面
６８    第２端面
６９    歯部
７０    欠け歯部
８１    本体電極
８２    アクチュエータ
８３    フォトセンサ
８４    ＣＰＵ
９１    歯部
９２    欠け歯部
９６    カートリッジ電極
１００  ラック部
１０１  カートリッジ電極
１０４  欠け歯ギヤ
１０５  歯部
１０６  欠け歯部
１０７  電極側変位部
１０８  左面
【図１】
0005807490.tif 000002
【図２】
0005807490.tif 000003
【図３】
0005807490.tif 000004
【図４】
0005807490.tif 000005
【図５】
0005807490.tif 000006
【図６】
0005807490.tif 000007
【図７】
0005807490.tif 000008
【図８】
0005807490.tif 000009
【図９】
0005807490.tif 000010
【図１０】
0005807490.tif 000011
【図１１】
0005807490.tif 000012
【図１２】
0005807490.tif 000013
【図１３】
0005807490.tif 000014